(57)【要約】      （修正有）【課題】メイン遮断器のバスバーに締結しやすく、高い耐久性を有する、かつ嵩の小さい接触子アセンブリを提供する。【解決手段】本発明の接触子アセンブリ３０は、開放口を含むハウジング１００、開放口を通してハウジングに結合し、開放口の前方に突き出る接触部と開放口の後方に突き出る結合部を含む接触子２００、開放口を通してハウジングに結合して、接触子及びハウジングの間に介在してハウジングに支持され、接触部及び結合部を加圧する加圧ユニット３００、及び接触子の結合部に結合し、接触子と通電するコネクタ４００、とを含んでいる。【選択図】図３
2020089254.tif 000002
【特許請求の範囲】
【請求項１】
メイン遮断器のバスバーに連結される接触子アセンブリにおいて、
結合口を含むハウジング；
前記結合口を通して前記ハウジングに結合し、前記結合口の前方に突き出る接触部と、前記結合口の後方に突き出る結合部を含む接触子；
前記結合口を通して前記ハウジングに結合し、前記接触子及び前記ハウジングの間に介在して、前記ハウジングに支持され、前記接触部及び前記結合部を加圧する加圧ユニット；及び、
前記接触子の前記結合部に結合し、前記接触子と通電するコネクタを含む、接触子アセンブリ。
【請求項２】
前記接触子は、
前記結合口に挟まれた中端は、互いに接しており、前記結合口の前方及び後方に向かって延びるそれぞれの両端は、予め定めた間隔で離隔する第一接触片；及び第二接触片を含む、請求項１に記載の接触子アセンブリ。
【請求項３】
前記接触子の結合部は、前記第一接触片及び前記第二接触片の離隔した両端のうち、前記結合口の後方に向かって突き出た部分からなり、前記結合部は、前記コネクタの少なくとも一部が無理に嵌め込まれる、請求項２に記載の接触子アセンブリ。
【請求項４】
前記接触子の前記結合部は、前記コネクタの外部へ突き出て、縦断面が円形である結合突起と結合し、前記接触子は、前記結合突起を中心軸に回転運動する、請求項３に記載の接触子アセンブリ。
【請求項５】
前記接触子の接触部は、前記第一接触片及び前記第二接触片の離隔した両端のうち、前記結合口の前方に向かって突き出た部分からなり、前記接触部は、バスバー（ｂｕｓ−ｂａｒ）が無理に嵌め込まれる、請求項２に記載の接触子アセンブリ。
【請求項６】
前記加圧ユニットは、
前記第一接触片と前記ハウジングの間に介在する第一加圧片；及び、
前記第二接触片と前記ハウジングの間に介在する第二加圧片を含む、請求項２に記載の接触子アセンブリ。
【請求項７】
前記ハウジングは、前記結合口の左右境界を成す一対の側面ガードを含み、前記コネクタは、一対の前記側面ガードの間で前記結合部に結合する、請求項２に記載の接触子アセンブリ。
【請求項８】
一対の前記側面ガードは、それぞれ前記結合口の中心方向に突き出て形成されるスペーサーを含み、前記接触子は、両側面が前記スペーサーと接しており、前記側面ガードと予め定めた間隔で両側が離隔する、請求項７に記載の接触子アセンブリ。
【請求項９】
一対の前記側面ガードは、それぞれ前記開放部が形成する仮想の平面と垂直に配置される板状部材であって、前記開放部の両側境界を形成する、請求項７に記載の接触子アセンブリ。
【発明の詳細な説明】
【技術分野】
【０００１】
本発明は、分電盤における分岐遮断器とメイン遮断器とを連結する接触子アセンブリに関する。
【背景技術】
【０００２】
通常、分電盤は、幹線から電力を供給されて、目的に合わせて配電する装置である。分電盤は、幹線と連結されるメイン遮断器を含み、メイン遮断器は、複数の分岐遮断器と連結され、各々の分岐遮断器を介して電力を配電する。
【０００３】
従って、分電盤は、メイン遮断器に複数の分岐遮断器が電気的に連結される構造を有する。このとき、メイン遮断器と各々の分岐遮断器間の電気的連結は、被覆を被せた電力線を利用することが通常の方法である。このような方法は、メイン遮断器と分岐遮断器が固定しており、メンテナンス等の目的のほかは、断続をしない場合に有用である。
【０００４】
しかし、産業現場で使用されるほとんどの分電盤は、分岐配線の電力容量の変更等、色んな理由によりメイン遮断器と分岐遮断器を入れ替るか、分離して再配置しなければならない場合がよく発生する。
【０００５】
最近は、メイン遮断器にバスバー（ｂｕｓ−ｂａｒ）を備え、各々の分岐遮断器は、バスバーに容易に結合するか分離されるように設けられた接触子（ｃｏｎｔａｃｔｏｒ）を有したりもする。
【０００６】
従来の分電盤に適用していた接触子は、末端が２つに割れて形成され、割れた接触子の末端にバスバーが挟まれて結合して、接触子又はバスバーを一方向に移動させることで連結が解除する方式も広く行われた。
【０００７】
しかし、２つに割れたニッパー状の接触子は、繰り返した結合及び分離によって接触子に疲労が累積して耐久性が落ちる短所があった。
【０００８】
また、定格電流（ｒａｔｅｄ  ｃｕｒｒｅｎｔ）の大きい分岐遮断器は、接触子がバスバーと接触する面積を広く確保しばければならないが、接触子とバスバーの接触面積を広げるためには、接触子の嵩も大きくならなければならない問題点もあった。
【０００９】
従って、このような問題点を解決するための方法が求められる。
【発明の概要】
【発明が解決しようとする課題】
【００１０】
本発明は、上述した従来技術の問題点を解決するために案出された発明であって、メイン遮断器のバスバーに締結しやすく、高い耐久性を有する、かつ嵩の小さい接触子アセンブリを提供するためである。
【００１１】
本発明の目的は、以上に言及した目的に制限されないし、言及していない本発明の他の目的及び長所は、下記の説明によって理解することができ、本発明の実施形態によってより明らかに理解することができる。また、本発明の目的及び長所は、特許請求の範囲に示した手段及びその組み合わせによって実現できることが分かりやすい。
【課題を解決するための手段】
【００１２】
上記目的を達成するために本発明の接触子アセンブリは、開放口を含むハウジング、開放口を通してハウジングに結合し、開放口の前方に突き出る接触部と開放口の後方に突き出る結合部を含む接触子、開放口を通してハウジングに結合して、接触子及びハウジングの間に介在してハウジングに支持され、接触部及び結合部を加圧する加圧ユニット、及び接触子の結合部に結合して、接触子と通電するコネクタ、とを含んでいてもよい。
【００１３】
本発明の一実施形態において、接触子は、開放部に挟まれた中端は、互いに接しており、前記開放部の前方及び後方に向かって延びるそれぞれの両端は、予め定めた間隔で離隔する第一接触片及び第二接触片を含んでいてもよい。
【００１４】
本発明の一実施形態において、接触子の結合部は、コネクタの少なくとも一部を収容して無理に嵌め込まれてもよい。
【００１５】
本発明の一実施形態において、接触子の結合部は、コネクタの外部へ突き出て、縦断面が円形である結合突起と結合し、接触子は、結合突起を中心軸に回転運動することができる。
【００１６】
本発明の一実施形態において、接触子の接触部は、第一接触片及び第二接触片の離隔した両端のうち、前記開放部の前方に向かって突き出た部分からなり、接触部は、バスバー（ｂｕｓ−ｂａｒ）を収容して無理に嵌め込まれてもよい。
【００１７】
本発明の一実施形態において、加圧ユニットは、第一接触片とハウジングの間に介在する第一加圧片、及び第二接触片とハウジングの間に介在する第二加圧片を含んでいてもよい。
【００１８】
本発明の一実施形態において、ハウジングは、開放部の境界を成す一対の側面ガードを含み、コネクタは、一対の側面ガードの間で結合部に結合してもよい。
【００１９】
本発明の一実施形態において、一対の側面ガードは、それぞれ開放部の中心方向に突き出て形成されるスペーサーを含み、接触子は、両側面がスペーサーと接しており、側面ガードと予め定めた間隔で両側が離隔し得る。
【００２０】
本発明の一実施形態において、一対の側面ガードは、それぞれ開放部が形成する仮想の平面と垂直に配置される板状部材であって、前記開放部の両側境界を形成することができる。
【発明の効果】
【００２１】
本発明の接触子アセンブリは、メイン遮断器のバスバーと容易に結合及び分離される効果がある。また、繰り返した結合及び分離にも接触子の疲労度が低く、耐久性が高くなる長所もある。また、同じ定格電流を取り扱う際に相対的に小さい嵩に具現される長所も有する。
【００２２】
上述した効果および本発明の具体的な効果は、以下の発明を実施するための具体的な事項を説明しながら共に記述する。
【図面の簡単な説明】
【００２３】
【図１】本発明の一実施形態による接触子アセンブリが分電盤に結合した状態を示した図面。
【図２】本発明の一実施形態による接触子アセンブリがバスバーに結合した状態を示した図面。
【図３】本発明の一実施形態による接触子アセンブリの斜視図。
【図４】本発明の一実施形態による接触子アセンブリの正面図。
【図５】本発明の一実施形態による接触子アセンブリにおけるハウジングを示した斜視図。
【図６】本発明の一実施形態による接触子アセンブリの平面図。
【図７】本発明の一実施形態による接触子アセンブリのハウジングに接触子及び加圧ユニットが結合した状態を示した図面。
【発明を実施するための形態】
【００２４】
前述した目的、特徴及び長所は、添付の図面を参照して詳細に後述され、これによって、本発明が属する技術分野における通常の知識を有する者が本発明の技術思想を容易に実施することができる。本発明の説明において、本発明に係る公知技術に対する具体的な説明が本発明の要旨を曖昧にすると判断される場合には詳細な説明を省略する。
【００２５】
以下では、添付の図面を参照して、本発明による好ましい実施形態を詳説する。図面における同じ参照符号は、同一又は類似の構成要素を示すものに使われる。
【００２６】
以下では、本発明の幾つの実施形態による接触子アセンブリを説明する。
【００２７】
図１は、本発明の一実施形態による接触子アセンブリが分電盤に結合した状態を示したものであり、図２は、本発明の一実施形態による接触子アセンブリがバスバーに結合した状態を示したものである。
【００２８】
図１及び図２に示したように、本発明による接触子アセンブリ３０は、幹線のメイン遮断器１０と、メイン遮断器１０に連結される複数の分岐遮断器２０を電気的に連結する。
【００２９】
具体的には、本発明による接触子アセンブリ３０は、分岐遮断器２０と電気的に連結された状態で、メイン遮断器１０に設けられたバスバー１２と結合する。メイン遮断器１０に設けられたバスバー１２には、複数の分岐遮断器２０が電気的に連結されてもよい。
【００３０】
図３は、本発明の一実施形態による接触子アセンブリの斜視図であり、図４は、本発明の一実施形態による接触子アセンブリの正面図である。また、図５は、本発明の一実施形態による接触子アセンブリにおけるハウジングを示した斜視図である。
【００３１】
図３〜図５を参照すれば、本発明による接触子アセンブリ３０は、ハウジング１００、接触子２００、加圧ユニット３００及びコネクタ４００を含む。
【００３２】
ハウジング１００は、結合口１１０を含む。また、接触子２００は、結合口１１０を通してハウジング１００に結合し、接触子２００は、結合口１１０の前方に突き出る接触部２１２、２２２と、結合口１１０の後方に突き出る結合部２１６、２２６を含む。
【００３３】
加圧ユニット３００は、結合口１１０を通してハウジング１００に結合し、接触子２００とハウジング１００の間に挟まれる。また、加圧ユニット３００は、ハウジング１００に支持され、接触子２００の接触部２１２、２２２及び結合部２１６、２２６を加圧する。
【００３４】
コネクタ４００は、接触子２００の結合部２１６、２２６に結合し、接触子２００と通電され、結局、コネクタ４００は、分岐遮断器２０と接触子２００を通電させる。
【００３５】
または、コネクタ４００は、接続部４２０を含んでいてもよい。接続部４２０には接続端子２２が結合してもよく、コネクタ４００は、接続端子２２を介して分岐遮断器２０と電気的に連結されてもよい。
【００３６】
接続部４２０と接続端子２２の結合は、雌雄が対応するように接続部４２０と接続端子２２にそれぞれ形成されたねじ山が互いに噛み合って結合してもよく、接続部４２０を通すボルトが接続端子２２と結合してもよい。
【００３７】
以下では、図４及び図５を参照して、上述したそれぞれの構成をより具体的に説明する。
【００３８】
図５に示したように、ハウジング１００は、板状の中心部を四角形に切開して開放される結合口１１０を含む。結合口１１０は、正面ガード１２０によって上部及び下部の境界が形成され、側面ガード１３０によって両側の境界が形成される。
【００３９】
具体的には、正面ガード１２０及び側面ガード１３０は、ハウジング１００における結合口１１０の上下に位置するフレームと、両側に位置するフレームであってもよい。
【００４０】
ハウジング１００の側面ガード１３０は、一体に形成されたハウジング１００の両側を同じ方向に折れ成形して行われてもよい。側面ガード１３０は、その面方向が結合口１１０の面方向と直角を成し、結合口１１０の両側境界を形成することができる。
【００４１】
また、側面ガード１３０は、結合口１１０と境界を成す地点に、結合口１１０の方向に突き出て形成されるスペーサー１３２が含まれる。
【００４２】
図６は、本発明の一実施形態による接触子アセンブリの平面図である。
【００４３】
図６に示したように、スペーサー１３２は、後述する接触子２００及び加圧ユニット３００が結合口１１０を通してハウジング１００に結合した状態で、接触子２００の両側と接するようになる。従って、接触子２００は、スペーサー１３２が側面ガード１３０から突き出た距離（ｄ）だけ側面ガード１３０と離隔してもよい。かかる構成は、接触子２００の両側が側面ガード１３０と接触する面積を最小化し、接触子２００が側面ガード１３０と干渉する場合に生じ得る接触子２００の上下運動に対する制約を防ぐことになる。
【００４４】
図７は、本発明の一実施形態による接触子アセンブリのハウジングに接触子及び加圧ユニットが結合した状態を示したものである。
【００４５】
図７に示したように、接触子２００は、第一接触片２１０と第二接触片２２０を含んでいてもよい。
【００４６】
第一接触片２１０と第二接触片２２０は、同じ形状であってもよく、上下に対向するように接して、ハウジング１００の結合口１１０に結合する。第一接触片２１０及び第二接触片２２０は、ハウジング１００の結合口１１０を通した状態で、ハウジング１００と結合する。また、第一接触片２１０及び第二接触片２２０は、中端部にそれぞれ第一支持部２１４及び第二支持部２２４が設けられ、第一支持部２１４及び第二支持部２２４は、結合口１１０に挟まれた位置で互いに一面が接するようになる。
【００４７】
結合口１１０を基準としてハウジング１００の側面ガード１３０が折れた方向を後方と定義し、反対方向を前方と定義する。
【００４８】
第一接触片２１０及び第二接触片２２０は、それぞれの第一、第二の支持部２１４、２２４が結合口１１０に挟まれた状態で互いに接するようになる。
【００４９】
先ず、第一接触片２１０は、第一支持部２１４から結合口１１０の前方に向かって延びる第一接触部２１２を含む。また、第一接触片２１０は、第一支持部２１４から結合口１１０の後方に延びる第一結合部２１６を含む。
【００５０】
また、第二接触片２２０は、第二支持部２２４から結合口１１０の前方に向かって延びる第二接触部２２２を含む。また、第二接触片２２０は、第二支持部２２４から結合口１１０の後方に延びる第二結合部２２６を含む。
【００５１】
このとき、結合口１１０の前方に延びる第一接触部２１２及び第二接触部２２２は、予め定めた間隔だけ離隔する。
【００５２】
第一接触部２１２及び第二接触部２２２は、末端が互いに遠くなる方向に湾曲し、第一接触部２１２及び第二接触部２２２の離隔した間へバスバー１２が進入しやすく形成されてもよい。
【００５３】
また、結合口１１０の後方に延びる第一結合部２１６及び第二結合部２２６も、予め定めた間隔だけ離隔する。第一結合部２１６及び第二結合部２２６が離隔して形成する空間には、コネクタ４００の結合突起４１０が収容されて結合してもよい。
【００５４】
加圧ユニット３００は、第一加圧片３１０と第二加圧片３２０を含む。
【００５５】
第一加圧片３１０は、第一接触片２１０とハウジング１００の正面ガード１２０の間に結合する。第一加圧片３１０は、結合口１１０の前方及び後方に長く延びる。第一加圧片３１０は、中端部が結合口１１０において正面ガード１２０によって支持され、結合口１１０の前方及び後方に延びる両端は、第一接触片２１０の第一接触部２１２及び第一結合部２１６を第二接触片２２０の方向に加圧する。
【００５６】
第二加圧片３２０は、第二接触片２２０とハウジング１００の正面ガード１２０の間に結合する。第二加圧片３２０も結合口１１０の前方及び後方に長く延びる。また、第二加圧片３２０は、中端部が結合口１１０において正面ガード１２０によって支持され、結合口１１０の前方及び後方に延びる両端は、第二接触片２２０の第二接触部２２２及び第二結合部２２６を第一接触片２１０の方向に加圧する。
【００５７】
従って、第一接触片２１０及び第二接触片２２０は、自ら有する弾性力で接触部２１２、２２２及び結合部２１６、２２６がそれぞれバスバー１２と結合突起４１０を加圧して結合してもよい。しかし、接触部２１２、２２２及び結合部２１６、２２６のさらに強い締結力は、第一加圧片３１０及び第二加圧片３２０を介して得るようになる。
【００５８】
第一加圧片３１０及び第二加圧片３２０は、第一接触片２１０及び第二接触片２２０の形状によって予め定めた長さを有する板スプリングで具現することができる。
【００５９】
コネクタ４００は、電気を通し得る伝導体からなる。また、コネクタ４００は、一側が分岐遮断器２０と通電するように結合してもよい。
【００６０】
コネクタ４００は、外側に突き出る結合突起４１０が含まれる。
【００６１】
結合突起４１０は、本発明の一実施形態における縦断面が円形であってもよい。また、前述したように、接触子２００を成す第一接触片２１０及び第二接触片２２０の第一結合部２１６と第二結合部２２６の間に収容されて、接触子２００と結合する。
【００６２】
コネクタ４００の結合突起４１０は、縦断面が円形に形成される。従って、結合突起４１０が収容された第一結合部２１６及び第二結合部２２６は、結合突起４１０を中心軸に回転が可能となる。
【００６３】
具体的には、ハウジング１００に接触子２００及び加圧ユニット３００が結合した状態で、ハウジング１００、接触子２００及び加圧ユニット３００は、コネクタ４００の結合突起４１０を中心軸にして回転が可能となる。
【００６４】
かかる構成は、接触子２００に結合するバスバー１２が正確な高さに配置されなかった場合も、接触子２００が結合突起４１０を基準として上下方向に予め定めた距離だけ移動され得るため、接触子２００とバスバー１２の結合をより円滑にする効果がある。
【００６５】
コネクタ４００は、伝導体であるため、分岐遮断器２０と接触子２００を電気的に連結することになる。
【００６６】
前述したような本発明による接触子アセンブリ３０は、メイン遮断器１０のバスバー１２に接触子２００を接近して結合させ、接触子２００を後退させることで結合を解除することができる。従って、メイン遮断器１０と結合する複数の分岐遮断器２０のうち、一部のみを除去するか結合しなければならない場合も、メイン遮断器１０を遮断せずに作業を行うことができる。
【００６７】
また、本発明による接触子２００は、加圧ユニット３００によって結合力が発生し、加圧ユニット３００の有した弾性力を利用してバスバー１２及びコネクタ４００を把持するようになるため、接触子２００の耐久性が向上する効果がある。
【００６８】
また、接触子２００が結合するハウジング１００は、結合口１１０の両側境界で直角に折って形成される側面ガード１３０を含むため、本発明による接触子アセンブリ３０は、小さい嵩を有するようになる。
【００６９】
ハウジング１００が小さい嵩を有して発生し得る接触子２００との干渉は、ハウジング１００の側面ガード１３０に形成されるスペーサー１３２を介して防止される。
【００７０】
以上のように、本発明について例示した図面を参照して説明したが、本明細書に開示した実施形態と図面によって本発明が限定されるものではなく、本発明の技術思想の範囲内で通常の技術者によって様々な変形が行われることは自明である。また、本発明の実施形態を前述しながら、本発明の構成による作用効果を明示的に記載して説明しなかったとしても、該構成によって予測可能な効果も認めなければならないことは当然である。
【符号の説明】
【００７１】
１０  メイン遮断器
１２  バスバー
２０  分岐遮断器
２２  接続端子
３０  接触子アセンブリ
１００  ハウジング
１１０  結合口
１２０  正面ガード
１３０  側面ガード
１３２  スペーサー
２００  接触子
２１０  第一接触片
２１２  第一接触部
２１４  第一支持部
２１６  第一結合部 
２２０  第二接触片
２２２  第二接触部 
２２４  第二支持部
２２６  第二結合部
３００  加圧ユニット
３１０  第一加圧片
３２０  第二加圧片
４００  コネクタ
４１０  結合突起
４２０  接続部
【図１】
2020089254.tif 000003
【図２】
2020089254.tif 000004
【図３】
2020089254.tif 000005
【図４】
2020089254.tif 000006
【図５】
2020089254.tif 000007
【図６】
2020089254.tif 000008
【図７】
2020089254.tif 000009